(57)【要約】【目的】バックリット看板であって、昼モードでは、普通の看板、夜モードでは、ネオンサイン風看板に変身させつつ、ネオンサインのような多彩な演出効果を出せる看板であって、広告する文字，図形などに対してグラデーション効果を良好に出すこと。【構成】所望の文字若しくは図形などを有する赤色、緑色、青色を始めとする有彩色透過性広告面１２又はその一部と、所望の文字若しくは図形などの外形縁を有する無彩色透過性広告面１１とからなるインク層又はカッティング層の広告面体１と、半透明樹脂板２１と、前記各広告面に対応する所望の文字若しくは図形などと同等形状の透過切抜き部４１を設けた遮光面体４とを重ねた表示体Ｐとが備えられていること。該表示体Ｐの後部側よりＲＧＢ三原色ＬＥＤ７３の内少なくとも２色の光源が投射できるように設けられていること。該光源の三原色が点灯電流調整可能に制御されてなること。【選択図】    図１
2009163149.tif 000002
【特許請求の範囲】
【請求項１】
所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、半透明樹脂板と、前記各広告面に対応する所望の文字若しくは図形などと同等形状の透過切抜き部を設けた遮光面体とを重ねた表示体とが備えられ、該表示体の後部側よりＲＧＢ三原色ＬＥＤの内少なくとも２色の光源が投射できるように設けられると共に、該光源の三原色が点灯電流調整可能に制御されてなることを特徴とする内照式電飾看板装置。
【請求項２】
請求項１において、前記半透明樹脂板の表面側はそのままの状態としつつ、該半透明樹脂板の後部側の遮光面体に所望の文字若しくは図形などと同等形状の夜型透過切抜き孔が形成されてなることを特徴とする内照式電飾看板装置。
【請求項３】
所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、半透明樹脂シートに重ねた透明樹脂板と、前記各広告面に対応する所望の文字若しくは図形などと同等形状の透過切抜き部を設けた遮光面体とを重ねた表示体とが備えられ、該表示体の後部側よりＲＧＢ三原色ＬＥＤの光源が投射できるように設けられると共に、該光源の三原色が点灯電流調整可能に制御されてなることを特徴とする内照式電飾看板装置。
【請求項４】
請求項３において、前記半透明樹脂シートの表面側はそのままの状態としつつ、この位置であって、前記透明樹脂板の後部側の遮光面体に所望の文字若しくは図形などと同等形状の夜型透過切抜き孔が形成されてなることを特徴とする内照式電飾看板装置。
【請求項５】
所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、該広告面体を重ねた半透明樹脂シートとを適宜離間させた透明樹脂シートと、前記各広告面に対応する所望の文字若しくは図形などと同等形状の透過切抜き部を設けた遮光面体を前記適宜離間させた透明樹脂シートに重ねた表示体とが備えられ、該表示体の後部側よりＲＧＢ三原色ＬＥＤの光源が投射できるように設けられると共に、該光源の三原色が点灯電流調整可能に制御されてなることを特徴とする内照式電飾看板装置。
【請求項６】
請求項５において、前記半透明樹脂シートの表面側はそのままの状態としつつ、この位置であって、前記適宜離間させた透明樹脂シートの後部側の遮光面体に所望の文字若しくは図形などと同等形状の夜型透過切抜き孔が形成されてなることを特徴とする内照式電飾看板装置。
【請求項７】
所望の文字若しくは図形などを有する赤色、緑色、青色を始めとする有彩色透過性広告面又はその一部と、所望の文字若しくは図形などの外形縁を有する無彩色透過性広告面とからなるカッティング層の透過性広告面体と、該広告面体を重ねた半透明樹脂シートと、前記各広告面に対応する所望の文字若しくは図形などと同等形状で一回り細身となった透過切抜き部を設けた遮光広告面体とを重ねた表示体とが備えられ、前記各広告面の周囲端は前記透過切抜き部の周囲壁上に重ねられて重ね部が形成され、該表示体の後部側よりＲＧＢ三原色ＬＥＤの光源が投射できるように設けられると共に、該光源の三原色が点灯電流調整可能に制御されてなることを特徴とする内照式電飾看板装置。
【請求項８】
請求項７において、前記半透明樹脂シートを半透明樹脂板と変換してなることを特徴とする内照式電飾看板装置。
【発明の詳細な説明】
【技術分野】
【０００１】
本発明は、バックリット看板であって、昼モードでは、普通の看板、夜モードではネオンサイン風看板に変身させつつ、ネオンサインのような多彩な演出効果を出せる看板であって、特に、夜モードでは、広告する文字，図形などをグラデーション効果を良好に出すことができる共に、従来の看板並みの価格で省エネ効果絶大で、且つメンテナンスフリーとすることができる内照式電飾看板装置に関する。
【背景技術】
【０００２】
従来より、ネオン管（ネオンサイン）を使った広告媒体が多く使用されている。これは、ネオン管の特徴にあり、高輝度発光が可能であると共に、封入するガスの成分を変えることで、様々な色で発光可能であり、しかも、点滅の応答性に優れるため、オンオフや流れ点滅の演出効果を発揮させることができ、ひいては、高輝度・自由な発色・点滅等の相乗効果により非常に人目につきやすく、アイキャッチ効果絶大であるためである。使い方としては、ネオン管を一筆書きのように加工して、文字やロゴマークなどを表現したり（パチンコ屋などで多用）、或いは、乳白色の光透過性パネルの中にネオン管を設置して、該ネオン管を見せることなく前記パネル全体の調光（調色）ができる内照式電飾看板（ブティック等の欄間看板など）である。
【０００３】
ところで、ネオンサインの欠点としては、昼間においては、（ア）一筆書きのネオン管が露骨に見えてしまい、広告効果を損ねる。（イ）さらに、ネオン管を多用するため莫大な電力を消費する。（ウ）設置工事やメンテナンスに多額の費用が発生する。（エ）特に、いわゆる「どぎつい、ド派手」なネオンは、都市等環境保護の観点から、設置基準が厳しくなりつつあるのが現状である。
【０００４】
一方、バックリット・行灯看板（内照式看板）の現状としては、ビルの壁面や出入り口の上部などに設置され、夜間になると看板内部に仕込まれた光源により明るく点灯（点滅）する看板で光源としては主に蛍光管が使われている。最近では、ＬＥＤ（Light-emitting diode）をアクリルパネルの側端部に取り付けアクリルを面発光させるエッジライトパネルが使われるようになってきた。これら従来の内照式看板は盤面に描かれた広告やメッセージを明るく照らし出す目的で作られてきた。ネオンサインのように盤面に変化や演出といった要素は盛り込まれていない、単純な照明付き広告看板としての機能にてできている。
【０００５】
前記内照看板の特徴としては、構造が簡単で、工事も簡単である。また、常に（昼夜）同じ状態で掲出されている。さらに、維持管理費がネオンに比べ低廉である。特に、
ＬＥＤを使用したものでは、電力消費量を半減できる利点がある。欠点としては、ネオンのように演出機能に欠けるため、アイキャッチ効果は劣るし、この内照式看板は広く普及しているため、他の看板との差別化が難しく、広告効果が低いとされている。
【特許文献１】特開平１０−１７７３５８号
【特許文献２】特開平７−３１０５０９号
【０００６】
特許文献１には、内照式電飾看板が開示されている。この技術は、常時視認される表示のみの場合と、この表示と蛍光灯の点灯時にのみ視認される表示とが一体的に表示される場合とで、異なる画面を表示することができる看板である。さらに、特許文献１の内照式電飾看板は、昼間など外部が明るい状態でも蛍光灯を点灯することにより、看板シートの表面にフィルムに施された表示が視認されるのはもちろん、夜間において蛍光灯を点灯することにより一層明瞭に透明性フィルムに施された表示が視認されることになる看板である。この技術には、ＬＥＤ技術は一切開示されていないし、ネオンサインのように、点滅構造も開示されていない。また、特許文献２には、絵文字以外の部分は完全な隠蔽性を有する構成とし、電飾看板に用いると電飾看板の照明の透過光により絵文字の輪郭が明瞭に現れ、且つ、反射光の場合には絵文字が見えるとともに、絵文字以外の部分では適当な色彩を表現することができるマーキングシートであるが、ぼかし、濃淡等のグラデーション効果についての開示は一切ない。
【発明の開示】
【発明が解決しようとする課題】
【０００７】
以上のような現状であるため、本発明が解決しようとする課題（技術的課題又は目的等）は、バックリット看板であって、昼間は普通の看板、夜はネオンサイン風看板に変身させつつ、ネオンサインのような多彩な演出効果を出せる看板であって、ネオンを超える演出効果を目指すものであり、特に、深み、趣きなどが生ずるグラデーション効果が得られるものを追求しつつ、ネオンサインと違い昼間も広告効果を損なわない看板（昼は外照式、夜は内照式で視認可能）を実現することである。さらに、従来の看板並みの価格で省エネ効果絶大で、且つメンテナンスフリーとすることも重要な課題でもある。  
【課題を解決するための手段】
【０００８】
そこで、発明者は上記課題を解決すべく鋭意，研究を重ねた結果、請求項１の発明を、所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、半透明樹脂板と、前記各広告面に対応する所望の文字若しくは図形などと同等形状の透過切抜き部を設けた遮光面体とを重ねた表示体とが備えられ、該表示体の後部側よりＲＧＢ三原色ＬＥＤの内少なくとも２色の光源が投射できるように設けられると共に、該光源の三原色が点灯電流調整可能に制御されてなることを特徴とする内照式電飾看板装置としたことにより、前記課題を解決した。請求項２の発明を、請求項１において、前記半透明樹脂板の表面側はそのままの状態としつつ、該半透明樹脂板の後部側の遮光面体に所望の文字若しくは図形などと同等形状の夜型透過切抜き孔が形成されてなることを特徴とする内照式電飾看板装置としたことにより、前記課題を解決した。
【０００９】
請求項３の発明を、所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、半透明樹脂シートに重ねた透明樹脂板と、前記各広告面に対応する所望の文字若しくは図形などと同等形状の透過切抜き部を設けた遮光面体とを重ねた表示体とが備えられ、該表示体の後部側よりＲＧＢ三原色ＬＥＤの光源が投射できるように設けられると共に、該光源の三原色が点灯電流調整可能に制御されてなることを特徴とする内照式電飾看板装置としたことにより、前記課題を解決した。請求項４の発明を、請求項３において、前記半透明樹脂シートの表面側はそのままの状態としつつ、この位置であって、前記透明樹脂板の後部側の遮光面体に所望の文字若しくは図形などと同等形状の夜型透過切抜き孔が形成されてなることを特徴とする内照式電飾看板装置としたことにより、前記課題を解決した。
【００１０】
請求項５の発明を、所望の文字若しくは図形などを有する赤色、緑色、青色を始めとする有彩色透過性広告面又はその一部と、所望の文字若しくは図形などの外形縁を有する無彩色透過性広告面とからなるインク層又はカッティング層の広告面体と、該広告面体を重ねた半透明樹脂シートとを適宜離間させた透明樹脂シートと、前記各広告面に対応する所望の文字若しくは図形などと同等形状の透過切抜き部を設けた遮光面体を前記適宜離間させた透明樹脂シートに重ねた表示体とが備えられ、該表示体の後部側よりＲＧＢ三原色ＬＥＤの光源が投射できるように設けられると共に、該光源の三原色が点灯電流調整可能に制御されてなることを特徴とする内照式電飾看板装置としたことにより、前記課題を解決した。請求項６の発明を、請求項５において、前記半透明樹脂シートの表面側はそのままの状態としつつ、この位置であって、前記適宜離間させた透明樹脂シートの後部側の遮光面体に所望の文字若しくは図形などと同等形状の夜型透過切抜き孔が形成されてなることを特徴とする内照式電飾看板装置としたことにより、前記課題を解決した。
【００１１】
請求項７の発明を、所望の文字若しくは図形などを有する赤色、緑色、青色を始めとする有彩色透過性広告面又はその一部と、所望の文字若しくは図形などの外形縁を有する無彩色透過性広告面とからなるカッティング層の透過性広告面体と、該広告面体を重ねた半透明樹脂シートと、前記各広告面に対応する所望の文字若しくは図形などと同等形状で一回り細身となった透過切抜き部を設けた遮光広告面体とを重ねた表示体とが備えられ、前記各広告面の周囲端は前記透過切抜き部の周囲壁上に重ねられて重ね部が形成され、該表示体の後部側よりＲＧＢ三原色ＬＥＤの光源が投射できるように設けられると共に、該光源の三原色が点灯電流調整可能に制御されてなることを特徴とする内照式電飾看板装置としたことにより、前記課題を解決した。請求項８の発明を、請求項７において、前記半透明樹脂シートを半透明樹脂板と変換してなることを特徴とする内照式電飾看板装置としたことにより、前記課題を解決したものである。
【発明の効果】
【００１２】
請求項１の発明においては、バックリット看板であって、昼モードでは、普通の看板、夜モードではネオンサイン風看板に変身させつつ、ネオンサインのような多彩な演出効果を出せる看板であって、特に、夜モードでは、広告する文字，図形などのグラデーション効果を出すことができる利点がある。さらに、従来の看板並みの価格で省エネ効果絶大で、且つメンテナンスフリーとすることができる利点もある。請求項２の発明においては、昼モードでは、見えない箇所において、夜モードでは、新たな文字，図形などを表示でき、その他は、請求項１と同等の効果を奏する。請求項３の発明では、透明樹脂板の厚みに応じて良好なグラデーション効果が出せる。請求項４の発明では、請求項２と同等の効果を発揮しうる。
【００１３】
請求項５の発明では、特に、夜モードでの、広告する文字，図形などにつきグラデーション効果を十分に出すことができる。請求項６の発明では、請求項２と同等の効果を奏する。また、請求項７の発明では、簡易なる構成にかかわらず、広告する文字，図形などのグラデーション効果を十分に出しうる。さらに、装置としての厚さを薄くできるという利点がある。請求項８の発明では、装置としての厚さは厚くなるが、請求項７と同等の効果を奏する。
【発明を実施するための最良の形態】
【００１４】
以下、本発明の実施形態について図面に基づいて説明する。まず、第１実施形態を図１乃至図６に基づいて説明する。本発明の主要な構成としては、表示体Ｐと、調色光源部７と、光源制御部７６とから構成されている。前記表示体Ｐは、広告面体１と、半透明樹脂板２１と、遮光面体４とで構成されている。前記広告面体１は、無彩色透過性広告面１１と、有彩色透過性広告面１２と、赤色透過性広告面Ｒ１２、緑色透過性広告面Ｇ１２及び青色透過性広告面Ｂ１２と、半透明性広告面１３とからなるインク層（約数ミクロンのフィルム）又はカッティング層（約５０乃至約１００ミクロン程度の樹脂層）である。前記有彩色透過性広告面１２とは、赤色，緑色，青色を除くその他の黄色，紫色等の有彩色を透過する広告面である。
【００１５】
さらに具体的には、前記赤色透過性広告面Ｒ１２、緑色透過性広告面Ｇ１２及び青色透過性広告面Ｂ１２のそれぞれは、前記有彩色透過性広告面１２における下位概念の一例示であり、前記調色光源部７のＲＧＢ三原色ＬＥＤ７３の赤色，緑色，青色に関係して表示されるが、具体的な色を有する有彩色透過性広告面１２（例えば、黄色）は、前記調色光源部７のＲＧＢ三原色ＬＥＤ７３の少なくとも２色に影響した色に表示される。
前記半透明性広告面１３は、前記半透明体２の表面そのものであり、昼モード（時間に関係なく電飾看板を昼状態で見ることができるモードである。）は、前記遮光面体４に切り抜きされた文字などが見えない状態を保持しているものである。
【００１６】
前記無彩色透過性広告面１１は、この明細書においては、黒を除く白から灰色に至る色の広告面であり、昼モードなどにおいては、広告面の一部として目視でき、夜モード（時間に関係なく電飾看板を暗がり状態で見ることができるモードである。）などには、前記調色光源部７のＲＧＢ三原色ＬＥＤ７３により適宜な色彩が広告面として透過されることもある。具体的には、前記半透明体２の表面上に白又は灰色にて、文字、図形又は模様などが設けられている。図２乃至４においては、「Ａ」なる文字が描かれ、該文字は、白又は灰色で、半透明樹脂板２１の表面と同一で、周りは黒などで縁取り１１ａされている。昼モードにおいては、図４（４Ｂ）及び図５に示すように、縁取り１１ａされた白文字「Ａ」を目視できる。夜モードには、無彩色透過性ゆえに、前記ＲＧＢ三原色ＬＥＤ７３の光源の赤色、緑色、青色、白色など全ての色彩が広告面として表示される。
【００１７】
図６（６Ａ），（６Ｂ）及び（６Ｃ）に示すように、前記赤色透過性広告面Ｒ１２、前記緑色透過性広告面Ｇ１２及び前記青色透過性広告面Ｂ１２のそれぞれは、昼モードにおいては、同図左側のように、赤色、緑色、青色として広告面として目視でき、夜モードには、同図右側のように、前記ＲＧＢ三原色ＬＥＤ７３により赤色、緑色、青色なる色彩が広告面に透過される。具体的には、前記半透明樹脂板２１の表面上の前記赤色透過性広告面Ｒ１２、緑色透過性広告面Ｇ１２及び青色透過性広告面Ｂ１２のそれぞれに赤色、緑色、青色にて、文字、図形又は模様などが設けられている。図６（６Ａ）において、前記赤色透過性広告面Ｒ１２に「Ｂ」なる赤文字が描かれ、該赤文字は、昼モードにおいては、赤文字「Ｂ」を目視できる。夜モードには、赤色透過性ゆえに、前記ＲＧＢ三原色ＬＥＤ７３の赤色、緑色、青色、白色など全ての色彩に対して赤色のみに対応して広告面として表示される。
【００１８】
図３（３Ｃ）においては、前記緑色透過性広告面Ｇ１２の表面上に「Ｃ」なる緑文字が描かれ、該緑文字は、昼モードにおいては、緑文字「Ｃ」を目視できる。夜モードには、緑色透過性ゆえに、前記ＲＧＢ三原色ＬＥＤ７３の赤色、緑色、青色、白色など全ての色彩に対して緑色のみに対応して広告面として表示される（図６〔６Ｂ〕）。さらに、図３（３Ｃ）においては、前記青色透過性広告面Ｂ１２の表面上に「Ｄ」なる青文字が描かれ、該青文字は、図６（６Ｃ）に示すように、昼モードにおいては、青文字「Ｄ」を目視できる。夜モードには、青色透過性ゆえに、前記ＲＧＢ三原色ＬＥＤ７３の赤色、緑色、青色、白色など全ての色彩に対して青色のみに対応して広告面として表示される。
【００１９】
前記広告面体１は、前記半透明樹脂板２１と統合されて構成されている。その広告面体１は前記半透明樹脂板２１上に印刷面として構成したり、カッティングシートを該半透明樹脂板２１上に貼着して構成するものである。その印刷した薄いフィルム状のシートを前記半透明樹脂板２１上に貼着されることも多い。また、半透明樹脂板２１は比較的厚材であるが、この上に直接印刷されることもある。半透明樹脂板２１の板厚は、比較的厚く構成され、具体的には、該半透明樹脂板２１の板厚は約３mm〜約１０mm内外で成形されている。該半透明樹脂板２１の存在により、昼間の反射光をもってしても昼モードでは、前記遮光面体４に切り抜きされた文字、図形などが見えない状態を保持するように構成されると共に、夜モードでは、前記ＲＧＢ三原色ＬＥＤ７３の光源により前記遮光面体４に切り抜きされた文字、図形などが見える状態を保持して広告面として機能するように構成される。
【００２０】
このような半透明樹脂板２１としては、白色又は白色に黄色など他の色彩を多少加えた白色系のものが好適であり、約６０〜約８０％の白度（ＡＳＴＭ  Ｅ３１３）を有するのが好ましい。該白度が６０％未満では前記半透明体２の裏側から前記ＲＧＢ三原色ＬＥＤ７３により光を照射しても前記半透明樹脂板２１の表面に前記遮光面体４に切り抜きされた文字、図形などが見えにくくなる。また、前記白度が８０％を超えると前記遮光面体４に切り抜きされた文字、図形などが前記ＲＧＢ三原色ＬＥＤ７３の光源の消灯時で、且つ昼モードでも前記半透明樹脂板２１の表面から透けて見えやすくなるため好ましくない状態となる。
【００２１】
前記遮光面体４には、文字、図形などの透過切抜き部４１が設けられている。夜モードにおいて、前記ＲＧＢ三原色ＬＥＤ７３により如何なる色彩で点灯しても、文字、図形などの透過切抜き部４１以外の箇所は、真っ黒又は真っ黒に近い暗い色となって広告面でなくなるように構成されている。特に、前記遮光面体４は、前記半透明樹脂板２１を挟むようにした、前記広告面体１と対をなして機能する。つまり、図３（３Ｂ）に示すように、前記無彩色透過性広告面１１と、前記有彩色透過性広告面１２、前記赤色透過性広告面Ｒ１２、前記緑色透過性広告面Ｇ１２及び前記青色透過性広告面Ｂ１２の各広告面に対応する所望の文字若しくは図形などと同等形状の透過切抜き部４１が設けられている。特に、前記無彩色透過性広告面１１と、前記有彩色透過性広告面１２、前記赤色透過性広告面Ｒ１２、前記緑色透過性広告面Ｇ１２及び前記青色透過性広告面Ｂ１２それぞれの文字、図形の具体的な形状のものを無彩色透過切抜き孔４１ａ、有彩色透過切抜き孔４１ｂ（黄色等）、赤色透過切抜き孔Ｒ４１、緑色透過切抜き孔Ｇ４１、青色透過切抜き孔Ｂ４１という。
【００２２】
前記無彩色透過性広告面１１としては、図３（３Ｃ）においては、「Ａ」なる白文字が描かれている。該白文字の外形に対して、図３（３Ｂ）に示すように、同等の大きさの無彩色透過切抜き孔４１ａが設けられている。これによって、昼モードにおいては、白文字「Ａ」を目視できる。夜モードでは、無彩色透過性ゆえに、前記ＲＧＢ三原色ＬＥＤ７３の赤色、緑色、青色、白色など全ての色彩が広告面として表示される。このとき、その「Ａ」なる表示の周りは、図５（６Ａ）〜（６Ｃ）の各右側に示すように、ぼやけた形状部となった、いわゆるグラデーション（Gradation）効果を得ることができる。
【００２３】
このグラデーション効果を得る構成について詳述すると、白文字「Ａ」に対して、同等の大きさの形状であるが、実際には、文字の大きさは殆ど同じである。このようにすることで、前記ＲＧＢ三原色ＬＥＤ７３により点灯すると、無彩色透過切抜き孔４１ａの「Ａ」文字箇所には、強い光源が当たるが、前記無彩色透過性広告面１１に表示された「Ａ」なる文字（太文字）箇所の外形箇所（外縁箇所）は、光源量が少なくなって、ぼやけた状態、すなわち、グラデーション効果を得ることができ、ネオンサインのような、派手な表示を避けることができるとともに、深みのある文字若しくは図形の表示を提供できる。
【００２４】
このグラデーション効果について詳述する。前記ＲＧＢ三原色ＬＥＤ７３を点灯すると、図４（４Ａ）に示すように、無彩色透過切抜き孔４１ａからの単位面積当たりの光源量はその垂直方向には、明度は１００％出るが、その前記半透明樹脂板２１の厚さゆえに、無彩色透過切抜き孔４１ａの「Ａ」文字箇所の周りにも乱反射した光源量が一次関数的に減少して０％となる。これによって、徐々にぼやけた状態となり、グラデーション効果を得られる。その傾斜して漏れる光の傾き線をｎとした。該傾き線ｎによって、グラデーションの周囲線ｍが発生する。
【００２５】
また、前記赤色透過性広告面Ｒ１２としては、図３（３Ｃ）においては、「Ｂ」なる赤文字が描かれている。該赤文字「Ｂ」に対して、同等の大きさの透過切抜き部４１としての赤色透過切抜き孔Ｒ４１が設けられている。これによって、昼モードにおいては、赤文字「Ｂ」を目視できる。夜モードでは、赤色透過性ゆえに、図６（６Ａ）に示すように、前記ＲＧＢ三原色ＬＥＤ７３の赤色、緑色、青色、白色など全ての色彩に対して赤色のみに対応し広告面として表示される。このとき、その「Ｂ」なる表示の周りは、周囲線ｍとしての、ぼやけた形状なるグラデーション効果を得られる。
【００２６】
さらに、前記緑色透過性広告面Ｇ１２としては、図３（３Ｃ）においては、「Ｃ」なる緑文字が描かれている。該緑文字「Ｃ」に対して、同等の大きさの青色透過切抜き孔Ｇ４１が設けられている。これによって、昼モードにおいては、緑文字「Ｃ」を目視できる。夜モードには、緑色透過性ゆえに、図６（６Ｂ）に示すように、前記ＲＧＢ三原色ＬＥＤ７３の光源の赤色、緑色、青色、白色など全ての色彩に対して緑色のみに対応して広告面として表示される。このとき、その「Ｃ」なる表示の周りは、周囲線ｍとしての、ぼやけた形状なるグラデーション効果が得られる。
【００２７】
前記青色透過性広告面Ｂ１２としては、図３（３Ｃ）においては、「Ｄ」なる青文字が描かれている。該青文字「Ｄ」に対して、同等大きさの緑色透過切抜き孔Ｂ４１が設けられている。これによって、昼モードにおいては、青文字「Ｄ」を目視できる。夜モードでは、青色透過性ゆえに、前記ＲＧＢ三原色ＬＥＤ７３の光源の赤色、緑色、青色、白色など全ての色彩に対して青色のみに対応して広告面として表示される。このとき、その「Ｄ」なる表示の周りは、周囲線ｍとしての、ぼやけた形状としてのグラデーション効果を得ることができる。
【００２８】
また、図２（２Ａ）、図３（３Ａ）及び（３Ｃ）において、前記有彩色透過性広告面１２を黄色としてみると、前記調色光源部７のＲＧＢ三原色ＬＥＤ７３を仮に、赤色と緑色対応ができる構成だとすると、赤色点灯した場合には、前記赤色透過性広告面Ｒ１２は赤表示されると同時に、黄色の有彩色透過性広告面１２は、暗い赤色が表示される。また、緑色点灯した場合には、前記緑色透過性広告面Ｇ１２は緑表示されると同時に、黄色の有彩色透過性広告面１２は、暗い緑色が表示される。つまり、前記有彩色透過性広告面１２は、前記調色光源部７のＲＧＢ三原色ＬＥＤ７３の一部の色に対応して複合的に表示されることがある。また、前記調色光源部７の赤色と緑色の光源が同時点灯した場合に黄色に表示される。
【００２９】
さらに、所望の文字若しくは図形などを有する赤色、緑色、青色を始めとする有彩色透過性広告面１２の一部（例えば、その一部とは、有彩色の紫，黄などの２色以上をいう。）と、所望の文字若しくは図形などの外形縁を有する無彩色透過性広告面１１とからなってインク層又はカッティング層の広告面体１として構成されることがある。また、前記赤色透過性広告面Ｒ１２、緑色透過性広告面Ｇ１２及び青色透過性広告面Ｂ１２の少なくとも２つは必ず備えている。つまり、前記赤色透過性広告面Ｒ１２と緑色透過性広告面Ｇ１２の場合、前記赤色透過性広告面Ｒ１２と青色透過性広告面Ｂ１２の場合、前記緑色透過性広告面Ｇ１２と青色透過性広告面Ｂ１２の場合である。
【００３０】
さらに、本発明の第１実施形態の追加例として、図７を説明する。つまり、「Ｅ」，「Ｆ」，「Ｇ」の表示の内容である。前記半透明樹脂板２１の表面側はそのままの状態としつつ、該半透明樹脂板２１の後部側の遮光面体４に所望の文字若しくは図形などと同等形状の夜型透過切抜き孔４１ｃが形成されている。これによって、昼モードにおいては、図１，図２（２Ａ），図３（３Ａ）及び図７（７Ｂ），（７Ｃ），（７Ｄ）に示すように、文字などは全く見えないが、花ビラ模様のみが見えている。夜モードには、図７に示すように、有彩色透過性広告面１２において有彩色透過性ゆえに、前記ＲＧＢ三原色ＬＥＤ７３の光源の赤色、緑色、青色、白色など全ての色彩が広告面として表示される。このとき、花ビラ模様は、前記遮光面体４の遮光面に該当していることから、前記ＲＧＢ三原色ＬＥＤ７３の光源が点灯されても、真っ黒又は真っ黒に近い暗い色となって広告面でなくなる。
【００３１】
前記ＲＧＢ三原色ＬＥＤ７３の電源回路構成は、調色光源部７として構成されている。具体的には、ＬＥＤ点灯用電源７１から直流回路の配線部７２を介してＲＧＢ三原色ＬＥＤ７３が多数設けられている。例としては、ＲＧＢ三原色ＬＥＤ７３を３、４個又は６，７個を直列にして制御抵抗などを介してこれをそれぞれ１２Ｖ又は２４ＶのＬＥＤ点灯用電源７１に並列接続されている。そして、前記ＲＧＢ三原色ＬＥＤ７３は、光源制御部７６及びＬＥＤ輝度制御部７５にて、赤色ＬＥＤ電流コントローラＲ７４、緑色ＬＥＤ電流コントローラＧ７４及び青色ＬＥＤ電流コントローラＢ７４の調整にて赤、緑、青がそれぞれ調色調整されつつ、点滅調整されるように構成されている。この構成は、本発明の第１実施形態〜第４実施形態に適用される。前記調色光源部７は、行灯（バックライト）方式や導光板方式の光源ユニットである。前記ＲＧＢ三原色ＬＥＤ７３は、一体化したものでも、それぞれが別体（赤、緑、青）としたものでも使用可能であり、適宜変化調光させることで所望の演出効果を醸しだせる。
【００３２】
次に、本発明の第２実施形態を図８（８Ａ）に基づいて説明する。特に、半透明樹脂シート２２に重ねた透明樹脂板３１を備えた部材が設けられている。つまり、第１実施形態の半透明樹脂板２１に変換したものである。前記半透明樹脂シート２２は板厚が比較的薄く、具体的には、該半透明樹脂シート２２の板厚は約１mm内外である。また、前記透明樹脂板３１の板厚は、比較的厚く構成され、具体的には、該透明樹脂板３１の板厚は約３mm〜約１０mm内外で成形されている。この第２実施形態の半透明樹脂シート２２及び透明樹脂板３１の厚さｔは比較的厚材として構成されている。他の構成は、第１実施形態と同様であり、その説明を省略する。また、この変形例として、図８（８Ｂ）に示すように、前記半透明樹脂シート２２と前記透明樹脂板３１とを間隔ｈだけ離間した構成である。さらに、前述の厚さｔを増加したものである。この間隔ｈを大きくすることで、より良いグラデーション効果が得られる。すなわち、ぼかし幅を大きくできる。
【００３３】
また、本発明の第３実施形態を図９に基づいて説明する。特に、半透明樹脂シート２２と該半透明樹脂シート２２に対して所定間隔ｈを離間した透明樹脂シート３２とを備えている。つまり、第１実施形態の半透明樹脂板２１を透明樹脂シート３２に変換したものである。前記透明樹脂シート３２は板厚が比較的薄く、具体的には、該透明樹脂シート３２の板厚は約１mm内外である。他の構成は、第１実施形態と同様であり、その説明を省略する。この場合は、離間した間隔ｈをより大きく取ることで、第２実施形態の変形例と同様に、ぼかし幅を大きくでき、より良いグラデーション効果が得られる。
【００３４】
また、本発明の第４実施形態を図１０に基づいて説明する。所望の文字若しくは図形などを有する赤色透過性広告面Ｒ５２、緑色透過性広告面Ｇ５２及び青色透過性広告面Ｂ５２を始めとする有彩色透過性広告面５２（有彩色の一部の場合も存在する。）と、所望の文字若しくは図形などの外形縁を有する無彩色透過性広告面５１とからなるカッティング層の透過性広告面体５（本発明では、印刷によるインク層の場合は除く。）と、該透過性広告面体５を重ねた半透明樹脂シート２２と、前記各広告面に対応する所望の文字若しくは図形などと同等形状で一回り細身となった小透過切抜き部６１を設けた遮光広告面体６とを重ねた表示体Ｑとからなり、前記透過性広告面体５の各広告面の外周囲端は前記小透過切抜き部６１の周囲縁上に重ねられて重ね部６３が形成され、前記表示体Ｑの後部側よりＲＧＢ三原色ＬＥＤ７３の光源を投射できるように設け、該ＲＧＢ三原色ＬＥＤ７３の適宜のＲＧＢの点灯電流調整可能に制御されている。この第４実施形態では、特に、遮光面体４を不要にでき、構成をより簡易にできる。また、変形例として、前記半透明樹脂シート２２を半透明樹脂板２１と変換して構成することもある。単に、強度性を増加させたものである。
【００３５】
本発明の第４実施形態について、作用について図１０（１０Ｄ）について説明する。ＲＧＢ三原色ＬＥＤ７３の光源にて前記透過性広告面体５から入ると、その材料内部にも光は乱反射状態となって入りこむ。この光が重ね部６３箇所で、少なくなって外方に流出する。この漏れた光こそが、光のぼかしとなって、グラデーションとして得ることができる。また、図１１（１１Ａ）については、「Ａ」なる赤文字が描かれている。これによって、昼モードにおいては、赤文字「Ａ」を目視できる。夜モードでは、赤色透過性と重ね部６３の乱反射ゆえに、図１１（１１Ａ）に示すように、前記ＲＧＢ三原色ＬＥＤ７３の光源の赤色、緑色、青色、白色など全ての色彩に対して赤色のみに対応して広告面として表示される。このとき、その「Ａ」なる表示の周りは、重ね部６３の周囲が周囲線ｍとしての、赤色のぼやけた形状なるグラデーション効果が得られる。
【００３６】
さらに、図１１（１１Ｂ）については、「Ａ」なる緑字が描かれている。これによって、昼モードにおいては、緑文字「Ａ」を目視できる。夜モードでは、緑色透過性と重ね部６３の乱反射ゆえに、図１１（１１Ｂ）に示すように、前記ＲＧＢ三原色ＬＥＤ７３の光源の赤色、緑色、青色、白色など全ての色彩に対して緑色のみに対応して広告面として表示され、同時に、その「Ａ」なる表示の周りは、重ね部６３の周囲が周囲線ｍとしての、緑色のぼやけた形状なるグラデーション効果が得られる。
【００３７】
また、図１１（１１Ｃ）については、「Ａ」なる白文字が描かれている。これによって、昼モードにおいては、白文字「Ａ」を目視できる。夜モードでは、無彩色透過性と重ね部６３の乱反射ゆえに、図１１（１１Ｃ）に示すように、前記ＲＧＢ三原色ＬＥＤ７３の光源の赤色、緑色、青色、白色など全ての色彩に対して白色のみに対応して広告面として表示され、同時に、その「Ａ」なる表示の周りは、重ね部６３の周囲が周囲線ｍとしての、白色のぼやけた形状なるグラデーション効果が得られる。以上のように、本発明では、小型としては、例えば、Ａ−４版サイズの小型版から、大型のものでは、ビルの広告塔までフリーサイズに対応できる看板装置である。
【図面の簡単な説明】
【００３８】
【図１】本発明の第１実施形態の構成図である。
【図２】（２Ａ）は本発明の第１実施形態の広告面体と遮光面体とを左右に分離した平面図、（２Ｂ）は（２Ａ）の（ア）線断面図、（２Ｃ）は（２Ａ）の（イ）線断面図、（２Ｄ）は（２Ａ）の（ウ）線断面図、（２Ｅ）は（２Ａ）の（エ）線断面図である。
【図３】（３Ａ）は本発明の第１実施形態の広告面体の平面図、（３Ｂ）は遮光面体の平面図、（３Ｃ）は半透明樹脂板及び広告面体の一部斜視図である。
【図４】（４Ａ）は本発明の第１実施形態の点灯状態の断面図及び明度グラフ、（４Ｂ）は無彩色透過性広告面において昼モードと夜モードとの比較図である。
【図５】（５Ａ）〜（５Ｃ）は本発明の無彩色透過性広告面において昼モードと夜モードとのそれぞれの比較図である。
【図６】（６Ａ）は本発明の赤色透過性広告面において昼モードと夜モードとのそれぞれの比較図、（６Ｂ）は本発明の緑色透過性広告面において昼モードと夜モードとのそれぞれの比較図、（６Ｃ）は本発明の青色透過性広告面において昼モードと夜モードとのそれぞれの比較図である。
【図７】（７Ａ）は本発明の第１実施形態に追加した例の点灯状態の断面図及び明度グラフ、（７Ｂ）乃至（７Ｄ）は半透明性広告面において昼モードと夜モードとの比較図である。
【図８】（８Ａ）は本発明の第２実施形態の一部断面図、（８Ｂ）は第２実施形態の変形例の一部断面図である。
【図９】本発明の第３実施形態の一部断面図である。
【図１０】（１０Ａ）は本発明の第４実施形態の一部平面図、（１０Ｂ）は（１０Ａ）のＸ−Ｘ矢視断面図、（１０Ｃ）は（１０Ａ）のＹ−Ｙ矢視断面図、（１０Ｄ）は点灯状態を示す一部断面の作用図である。
【図１１】（１１Ａ）は本発明の第４実施形態において赤色透過性広告面において昼モードと夜モードとのそれぞれの比較図、（１１Ｂ）は緑色透過性広告面において昼モードと夜モードとのそれぞれの比較図、（１１Ｃ）は白色透過性広告面において昼モードと夜モードとのそれぞれの比較図である。
【符号の説明】
【００３９】
１…広告面体、１１…無彩色透過性広告面、１２…有彩色透過性広告面、
Ｒ１２…赤色透過性広告面、Ｇ１２…緑色透過性広告面、Ｂ１２…青色透過性広告面、
２１…半透明樹脂板、２２…半透明樹脂シート、３１…透明樹脂板、
３２…透明樹脂シート、４…遮光面体、４１…透過切抜き部、
４１ｃ…夜型透過切抜き孔、５…透過性広告面体、５１…無彩色透過性広告面、
５２…有彩色透過性広告面、Ｒ５２…赤色透過性広告面、Ｇ５２…緑色透過性広告面、
Ｂ５２…青色透過性広告面、６…遮光広告面体、６１…小透過切抜き部、６３…重ね部、
Ｐ，Ｑ…表示体、７３…ＲＧＢ三原色ＬＥＤ。
【図１】
2009163149.tif 000003
【図２】
2009163149.tif 000004
【図３】
2009163149.tif 000005
【図４】
2009163149.tif 000006
【図５】
2009163149.tif 000007
【図６】
2009163149.tif 000008
【図７】
2009163149.tif 000009
【図８】
2009163149.tif 000010
【図９】
2009163149.tif 000011
【図１０】
2009163149.tif 000012
【図１１】
2009163149.tif 000013